(57)【要約】【課題】プラントや建物などの施設において、異常が発生した場合の点検作業や復旧作業などの作業効率の向上を図る。【解決手段】モニタに表示される管理対象領域Ｚ１の映像中（ライブ映像／録画された映像）、例えば電気錠６の有効領域Ｓ２がマウスクリックされた場合、吹出Ｘ２を出現させ、この吹出Ｘ２の中に電気錠６の名称や電気錠６の状態情報（現在時刻の状態情報／録画された時刻の状態情報）を表示する。【選択図】  図７
2005234824.tif 000002
【特許請求の範囲】
【請求項１】
管理対象領域を撮像する工程と、
前記撮像された管理対象領域の映像を表示する工程と、
前記表示された管理対象領域の映像中の所望の管理点を選択指定する工程と、
前記選択指定された所望の管理点の状態情報を前記管理対象領域の映像中に表示する工程と
を備えたことを特徴とする施設管理方法。
【請求項２】
請求項１に記載された施設管理方法において、
前記管理対象領域の映像中の所望の管理点を選択指定してその管理点に対する所望の設定を行う工程を備えたことを特徴とする施設管理方法。
【請求項３】
管理対象領域を撮像する工程と、
前記撮像された管理対象領域の映像を表示する工程と、
ユーザの個人情報を必要とする所定の機器が前記管理対象領域において操作された場合にその操作に使用されたユーザの個人情報を前記管理対象領域の映像中に表示する工程と
を備えたことを特徴とする施設管理方法。
【請求項４】
管理対象領域を撮像する手段と、
前記撮像された管理対象領域の映像を表示する手段と、
前記表示された管理対象領域の映像中の所望の管理点の選択指定を可能とする手段と、
前記選択指定された所望の管理点の状態情報を前記管理対象領域の映像中に表示する手段と
を備えたことを特徴とする施設管理装置。
【請求項５】
請求項４に記載された施設管理装置において、
前記管理対象領域の映像中の所望の管理点を選択指定してその管理点に対する所望の設定を可能とする手段を備えたことを特徴とする施設管理装置。
【請求項６】
管理対象領域を撮像する手段と、
前記撮像された管理対象領域の映像を表示する手段と、
ユーザの個人情報を必要とする所定の機器が前記管理対象領域において操作された場合にその操作に使用されたユーザの個人情報を前記管理対象領域の映像中に表示する手段と
を備えたことを特徴とする施設管理装置。
【発明の詳細な説明】
【技術分野】
【０００１】
この発明は、プラントや建物などの施設を管理する施設管理方法および装置に関するものである。
【背景技術】
【０００２】
従来より、プラントや建物などの施設においては、監視カメラを設置し、この監視カメラからの映像をモニタに表示したり、録画したりしている。これにより、侵入警報などが発生した場合、ライブ映像や録画された映像をモニタ上で管理者（警備員）が確認し、この確認結果に基づいて次善策を講じることができる（例えば、特許文献１参照）。
【０００３】
【特許文献１】特開平１０−２２９５５４号公報
【発明の開示】
【発明が解決しようとする課題】
【０００４】
しかしながら、上述した従来の施設の管理方法では、監視カメラが捉える管理対象領域の映像のみをモニタに表示するようにしているため、このモニタに表示された映像からはその管理対象領域内の管理点の状態（例えば、電気錠の施錠／解錠、カードリーダの通行モード（レベルＩ，IIなど）、警備状態（警戒／非警戒）など）が分からない。また、その管理対象領域内の部屋への入退室者の詳細な情報を知ることができない。
このため、侵入警報などが発生した場合、映像監視システムとは別のシステム（例えば、出入り管理システム）で確認操作を行ったり、実際の場所に赴き、確認するといった作業を行っており、作業が煩雑で手間がかかっていた。
【０００５】
本発明は、このような課題を解決するためになされたもので、その目的とするところは、プラントや建物などの施設において、異常が発生した場合の点検作業や復旧作業などの作業効率の向上を図ることができる施設管理方法および装置を提供することにある。
【課題を解決するための手段】
【０００６】
このような目的を達成するために本発明（第１発明）は、管理対象領域を撮像する工程と、撮像された管理対象領域の映像を表示する工程と、表示された管理対象領域の映像中の所望の管理点を選択指定する工程と、選択指定された所望の管理点の状態情報を管理対象領域の映像中に表示する工程とを設けたものである。
この発明によれば、管理対象領域の映像中の所望の管理点を選択指定すると、この選択指定した所望の管理点の状態情報が管理対象領域の映像中に表示される。例えば、管理対象領域の映像中の電気錠を選択指定すると、その電気錠の状態（施錠／解錠）が管理対象領域の映像中に表示される。
これにより、管理者は、管理対象領域の映像中の所望の管理点の状態を、映像監視システムとは別のシステムでの確認操作を行うことなく、また実際の場所に赴いて確認するといったような作業を行うことなく、直ちに知ることができる。
また、本発明において、管理対象領域の映像中の所望の管理点を選択指定してその管理点に対する所望の設定を行う工程をさらに設ければ、例えば管理対象領域の映像中で電気錠を選択して、その電気錠の施錠／解錠を行うことが可能となる。
【０００７】
本発明の別の発明（第２発明）は、管理対象領域を撮像する工程と、撮像された管理対象領域の映像を表示する工程と、ユーザの個人情報を必要とする所定の機器が管理対象領域において操作された場合にその操作に使用されたユーザの個人情報を管理対象領域の映像中に表示する工程とを設けたものである。
この発明によれば、例えば、管理対象領域においてユーザの個人情報が書き込まれたカードがカードリーダにセットされると、そのカードから読み取られたユーザの個人情報が管理対象領域の映像中に表示される。これにより、例えば、他人になりすまして管理対象領域内の重要な部屋への入退室が行われたような場合、映像監視システムとは別のシステムでの確認操作を行うことなく、ライブ映像や録画された映像から使用されたユーザの個人情報を知ることができる。
なお、この発明（第１、第２発明）は、上述した方法を適用した装置としても構成することができる。
【発明の効果】
【０００８】
本発明によれば、第１発明では、管理対象領域の映像中の所望の管理点を選択指定すると、この選択指定した所望の管理点の状態情報が管理対象領域の映像中に表示されるものとなり、第２発明では、ユーザの個人情報を必要とする所定の機器が管理対象領域において操作された場合、その操作に使用されたユーザの個人情報が管理対象領域の映像中に表示されるものとなり、プラントや建物などの施設において異常が発生した場合の点検作業や復旧作業などの作業効率の向上を図ることができるようになる。
【発明を実施するための最良の形態】
【０００９】
以下、本発明を図面に基づいて詳細に説明する。図１は本発明に係る施設管理方法の実施に用いる施設管理システムの一例を示す構成図である。
同図において、１は施設内の管理対象領域Ｚ１を撮像するカメラ、２はカメラ１により撮像された管理対象領域Ｚ１の映像を蓄積または蓄積せずに通信回線Ｌを介して管理装置３に送る制御装置、４は施設内のセンサやアクチュエータ、電気錠などの管理点からの情報（計測情報や状態情報など）を通信回線Ｌを介して管理装置３に送るコントローラであり、制御装置２は管理装置３からの指令を受けてカメラ１の動作を制御する機能を有し、コントローラ４は管理装置３からの指令を受けて施設内の機器の動作を制御する機能を有している。
【００１０】
図２に管理装置３のハードウェア構成の概略を示す。同図において、３−１はＣＰＵ、３−２はＲＡＭ、３−３はＲＯＭ、３−４はハードディスクなどの記憶装置、３−５〜３−７はインターフェイス、３−８はディスプレイ（モニタ）、３−９はキーボード、３−１０はマウスである。ＣＰＵ３−１は、インターフェイス３−５〜３−７を介して与えられる各種入力情報を得て、ＲＡＭ３−２にアクセスしながら、ＲＯＭ３−３や記憶装置３−４に格納されたプログラムに従って動作する。
【００１１】
記憶装置３−４には、本実施の形態特有のプログラムとして、映像監視プログラムが格納されている。この映像監視プログラムは、例えばＣＤ−ＲＯＭなどの記録媒体に記録された状態で提供され、この記録媒体から読み出されて記憶装置３−４にインストールされている。また、記憶装置３−４には、制御装置２から送られてくる管理対象領域Ｚ１の映像やコントローラ４から送られてくる施設内のセンサやアクチュエータ、電気錠などの管理点からの情報が蓄積される。
【００１２】
図３にカメラ１が撮像する管理対象領域Ｚ１の映像を例示する。この映像は管理装置３のディスプレイ３−８に表示される。この例では、管理対象領域Ｚ１に、実験室５への出入り口に設けられた電気錠６とカードリーダ７が映っている。この施設管理システムでは、システムの運用を開始する前に、カメラ１が撮像する管理対象領域Ｚ１の映像について、その映像中の各管理点の座標と記憶装置３−４内に蓄積されるその管理点の情報とをリンクさせている。また、管理対象領域Ｚ１の映像中の各管理点に対して、後述するマウスクリックの感知領域として有効領域を定めている。
【００１３】
図４に管理対象領域Ｚ１の映像中の各管理点に対して定められた有効領域を示す。この例では、管理対象領域Ｚ１の映像中の実験室５と電気錠６とカードリーダ７が管理点とされ、実験室５に対して有効領域Ｓ１が定められ、電気錠６に対して有効領域Ｓ２が定められ、カードリーダ７に対して有効領域Ｓ３が定められている。また、記憶装置３−４内には、実験室５の状態情報として「正常／異常、警戒／非警戒」の情報が、電気錠６の状態情報として「正常／異常、施錠／解錠」の情報が、カードリーダ７の状態情報として「正常／異常、通行モード（レベルＩ，IIなど）」の情報が蓄積される。
【００１４】
以下、図５に示したフローチャートに従って、管理装置３のＣＰＵ３−１が実行する映像監視プログラムに従う処理動作について説明する。
ＣＰＵ３−１は、制御装置２から送られてくる管理対象領域Ｚ１の映像を収集し、記憶装置３−４に格納する（ステップ５０１）。また、コントローラ４から送られてくる実験室５，電気錠６，カードリーダ７などの管理点の状態情報を収集し、記憶装置３−４に格納する（ステップ５０２）。
【００１５】
管理装置３のディスプレイ３−８には制御装置２から送られてくる管理対象領域Ｚ１のライブ映像（図４）が表示される。この管理対象領域Ｚ１の映像中、例えば電気錠６の有効領域Ｓ２をマウスクリックすると（ステップ５０３のＹＥＳ）、ＣＰＵ３−１は、記憶装置３−４に格納されている現時刻の電気錠６の状態情報を読み出して、ポップアップウインドウに表示する（ステップ５０４）。
【００１６】
このとき表示されるポップアップウインドウを図６に例示する。このポップアップウインドウＷ１には、マウスクリックされた管理点の名称を表示する名称表示部Ｆ１と、その管理点の状態情報を表示する状態表示部Ｆ２と、その管理点に対する状態の選択設定を可能とする状態選択部Ｆ３と、実行キーＢＴ１と、取消キーＢＴ２が表示される。この例では、名称表示部Ｆ１に「実験室電気錠」と表示され、状態表示部Ｆ２に「正常／施錠」と表示されている。これにより、現在、電気錠６の動作が正常であり、施錠されていることが分かる。
【００１７】
なお、電気錠６を解錠したい場合には、ポップアップウインドウＷ１の状態選択部Ｆ３において「解錠」を選択し、実行キーＢＴ１を押せばよい。元に戻したい場合には、状態選択部Ｆ３において「施錠」を選択し、実行キーＢＴ１を押せばよい。これにより、ディスプレイ３−８上で管理対象領域Ｚ１の映像を確認しながら、電気錠６の施解錠を行うことができる。この機能によって、警報が発生した後の処理で通行などを規制したい場合、映像を見ながら設定を行うことが可能となる。
【００１８】
上述においては、管理装置３のディスプレイ３−８に制御装置２から送られてくる管理対象領域Ｚ１のライブ映像を表示する例で説明したが、録画された映像を表示する場合も同様にして管理対象領域Ｚ１中の所望の管理点の状態を知ることができる。この場合、録画された管理対象領域Ｚ１の映像中の所望の管理点の有効領域をマウスクリックすると、ＣＰＵ３−１は、記憶装置３−４に蓄積されている録画された時刻の電気錠６の状態情報を読み出して、ポップアップウインドウＷ１に表示する。
【００１９】
上述においては、管理対象領域Ｚ１の映像中の所望の管理点の有効領域をマウスクリックした場合、ポップアップウインドウＷ１が表示されるものとしたが、管理対象領域Ｚ１の映像中にマウスクリックされた管理点の状態情報を表示するようにしてもよい。例えば、図７に示すように、管理対象領域Ｚ１の映像中、例えば電気錠６の有効領域Ｓ２がマウスクリックされた場合、吹出Ｘ２を出現させ、この吹出Ｘ２中に電気錠６の名称や電気錠６の状態情報を表示する。この場合、図８に示すように、吹出Ｘ２をマウスクリックすることによって操作ウインドウＷ２を出現させ、この操作ウインドウＷ２中に施錠／解錠の操作を可能とする操作ボタンＢＴ３，ＢＴ４を表示するようにするとよい。
【００２０】
図９（ａ）に実験室５の有効領域Ｓ１がマウスクリックされた場合を示す。図９（ｂ）にカードリーダ７の有効領域Ｓ３がマウスクリックされた場合を示す。実験室５の有効領域Ｓ１がマウスクリックされると、吹出Ｘ１を出現させ、この吹出Ｘ１中に実験室５の名称や実験室５の状態情報を表示する。カードリーダ７の有効領域Ｓ３がマウスクリックされると、吹出Ｘ３を出現させ、この吹出Ｘ３中にカードリーダ７の名称やカードリーダ７の状態情報を表示する。
【００２１】
図１０にカードリーダ７が操作された場合の管理対象領域Ｚ１の映像を示す。本実施の形態では、カードリーダ７にユーザの個人情報が書き込まれたカードがセットされると、そのカードから読み取られたユーザの個人情報が管理対象領域Ｚ１の映像中に表示される。
【００２２】
この例では、管理対象領域Ｚ１の映像中に吹出Ｘ４が現れ、この吹出Ｘ４中にユーザの個人情報が表示される。これにより、例えば、他人になりすまして管理対象領域Ｚ１内の実験室５への入退室が行われたような場合、映像監視システムとは別のシステムでの確認操作を行うことなく、ライブ映像や録画された映像から使用されたユーザの個人情報を知ることができる。
【００２３】
なお、この例では、カードリーダ７にユーザの個人情報が書き込まれたカードがセットされた場合について説明したが、指紋読取装置などでも同様にしてユーザの個人情報を知ることができる。この場合、指紋読取装置で読み取った指紋に対応して登録されているユーザの個人情報を管理対象領域Ｚ１の映像中に表示するようにすればよい。
【００２４】
図１１に電気錠５を起因とする警報が発生した場合の管理対象領域Ｚ１の映像を示す。この場合、管理対象領域Ｚ１の映像中に吹出Ｘ５が現れ、この吹出Ｘ５中に警報内容が表示される（図１１（ａ））。そして、自動的に、管理対象領域Ｚ１の映像中の電気錠５がズームアップされる（図１１（ｂ））。これにより、電気錠５の異常状態（例えば、こじ開けなど）を、映像で即座に確認することができる。
【００２５】
上述した実施の形態では、カメラ１が撮像する管理対象領域Ｚ１中に管理点として実験室５，電気錠６，カードリーダ７がある例で説明したが、管理点はこれらに限られるものではなく、例えば空調機や照明機器についても同様にしてその状態を知ることが可能である。また、同様にして、空調機や照明機器の発停なども行うことができる。また、管理点は実験室５の警戒／非警戒から分かるように、制御機器に限られるものではない。
【００２６】
また、上述した実施の形態では、管理対象領域Ｚ１の映像や管理点の状態情報を記憶装置３−４に格納するようにしたが、これらの情報の記憶装置３−４への格納は必ずしも必要ではなく、ライブ表示の場合は、有効領域のクリックの時点でコントローラ３に管理点の情報を要求し取得する方が自然である。また、映像は管理装置３に記憶する場合と制御装置２に記憶する場合とが考えられる。
【図面の簡単な説明】
【００２７】
【図１】本発明に係る施設管理方法の実施に用いる施設管理システムの一例を示す構成図である。
【図２】この施設管理システムにおける管理装置のハードウェア構成の概略を示す図である。
【図３】この施設管理システムにおけるカメラが撮像する管理対象領域の映像を例示する図である。
【図４】この管理対象領域の映像中の各管理点に対して定められた有効領域を示す図である。
【図５】管理装置のＣＰＵが実行する映像監視プログラムのフローチャートである。
【図６】管理対象領域の映像中の電気錠の有効領域をマウスクリックした場合に現れるポップアップウインドウを例示する図である。
【図７】管理対象領域の映像中の電気錠の有効領域をマウスクリックした場合に現れる吹出の中に電気錠の状態情報を表示するようにした例を示す図である。
【図８】管理対象領域の映像中の電気錠の有効領域をマウスクリックした場合に現れる吹出をさらにマウスクリックすることにより現れる操作ウインドウを説明する図である。
【図９】管理対象領域の映像中のカードリーダおよび実験室の有効領域がマウスクリックされた場合に現れる吹出の中に状態情報を表示するようにした例を示す図である。
【図１０】カードリーダが操作された場合の管理対象領域の映像を示す図である。
【図１１】電気錠を起因とする警報が発生した場合の管理対象領域の映像を示す図でる。
【符号の説明】
【００２８】
１…カメラ、２…制御装置、３…管理装置、４…コントローラ、５…実験室、６…電気錠、７…カードリーダ、Ｌ…通信回線、Ｚ１…管理対象領域、Ｓ１〜Ｓ３…有効領域、Ｗ１…ポップアップウインドウ、Ｗ２…操作ウインドウ、Ｘ１〜Ｘ５…吹出、Ｆ１…名称表示部、Ｆ２…状態表示部、Ｆ３…、状態選択部、ＢＴ１…実行キー、ＢＴ２…取消キー、ＢＴ３，ＢＴ４…操作ボタン、３−１…ＣＰＵ、３−２…ＲＡＭ、３−３…ＲＯＭ、３−４…記憶装置、３−５〜３−７…インターフェイス、３−８…ディスプレイ（モニタ）、３−９…キーボード、３−１０…マウス。
【図１】
2005234824.tif 000003
【図２】
2005234824.tif 000004
【図３】
2005234824.tif 000005
【図４】
2005234824.tif 000006
【図５】
2005234824.tif 000007
【図６】
2005234824.tif 000008
【図７】
2005234824.tif 000009
【図８】
2005234824.tif 000010
【図９】
2005234824.tif 000011
【図１０】
2005234824.tif 000012
【図１１】
2005234824.tif 000013